(57)【要約】【課題】      ビルなどの構築物の周囲に美しさづくりや空間づくりのため植栽してある樹木が落葉樹の場合、落葉にともない落葉が飛散して見苦しくなるので、清掃者によって落葉を集めて回収することになり、しかも回収作業を落葉の期間中頻繁に行なうため大変な出費になる。そして風によって飛散すると住人からの苦情の発生原因になる。【解決手段】  落葉樹Ａの上方から落葉が通過しない網目の上端閉鎖の筒状ネット１を被せると共に、このネットの開放下縁部を寄せ集めて上記落葉樹の根元側に縛って、ネット内に落葉を溜め、溜まった落葉をネットの下部を開放して袋や籠などに回収する。【選択図】    図２
2005029385.tif 000002
【特許請求の範囲】
【請求項１】
落葉樹の上方から落葉が通過しない網目の上端閉鎖の筒状ネットを被せると共に、このネットの開放下縁部を寄せ集めて上記落葉樹の根元側に縛ることを特徴とする落葉の回収装置。
【請求項２】
落葉樹の上方から落葉が通過しない網目の上端閉鎖の筒状ネットを被せると共に、このネットの開放下縁側を地面に適宜の支持手段により支持したことを特徴とする落葉の回収装置。
【請求項３】
落葉が通過しない網目の帯状で二つ折りにしたネットを、前記二つ折りの屈曲部分が頂部に位置するよう落葉樹に被せると共に、このネットの隣接両側縁同志を適宜の閉鎖手段により閉じ、上記ネットの開放端縁側を寄せ集めて上記落葉樹の根元側に縛ることを特徴とする落葉の回収装置。
【請求項４】
落葉が通過しない網目の帯状で二つ折りにしたネットを、前記二つ折りの屈曲部分が頂部に位置するよう落葉樹に被せると共に、このネットの隣接両側縁同志を適宜の閉鎖手段により閉じ、上記ネットの開放端縁側を地面に適宜の支持手段により支持したことを特徴とする落葉の回収装置。
【請求項５】
落葉樹の上方から落葉が通過しない網目の裁頭円錐状の筒状ネットを被せると共に、このネットの開放下縁部を寄せ集めて上記落葉樹の根元側に縛ることを特徴とする落葉の回収装置。
【請求項６】
落葉樹の上方から落葉が通過しない網目の裁頭円錐状の筒状ネットを被せると共に、このネットの開放下縁側を地面に適宜の支持手段により支持したことを特徴とする落葉の回収装置。
【請求項７】
落葉樹の上端から下方所定の範囲に落葉が通過しない網目の横長な帯ネットを巻き付けると共にこの巻き付けた帯ネットのオーバーラップの部分を止め手段により止め、上記巻き付けた帯ネットの開放下縁部を寄せ集めて上記落葉樹の根元側に縛ることを特徴とする落葉の回収装置。
【請求項８】
落葉樹の上端から地上側の範囲に落葉が通過しない網目の横長な帯ネットを巻き付けると共にこの巻き付けた帯ネットのオーバーラップの部分を止め手段により止め、上記巻き付けた帯ネット開放下縁側を地面に適宜の支持手段により支持したことを特徴とする落葉の回収装置。
【請求項９】
落葉が通過しない網目の複数枚のネットと、このネットを円錐状に配置して、配置ネットのそれぞれの隣接縁の網目に挿通した連結紐とで円錐状の被いネットを形成し、この被いネットを落葉樹の上端から被せると共に、この被いネットの開放下縁側を上記落葉樹の根元側に縛ったことを特徴とする落葉の回収装置。
【請求項１０】
落葉が通過しない網目の複数枚のネットと、このネットを円錐状に配置してそれぞれの隣接縁の網目に挿通した連結紐とで円錐状の被いネットを形成し、この被いネットを落葉樹の上端から被せると共に、この被いネットの開放下縁側を地面に適宜の支持手段により支持したことを特徴とする落葉の回収装置。
【発明の詳細な説明】
【技術分野】
【０００１】
この発明は、落葉樹の落葉を回収する装置に関する。
【背景技術】
【０００２】
道路をいかに自然環境、周辺景観にとけ込ませるかという考え、またビルなどの構築物の周囲に美しさづくりや空間づくりのために樹木が植栽してある。
【０００３】
しかしながら、上記の樹木が落葉樹の場合、落葉にともない落葉は飛散して見苦しくなる。
【０００４】
従来より落葉回収装置としては、円筒状ブラシを地面上で回転させて落葉を跳ね上げ、これを吸引する装置があり、これを台車や自動車に搭載して移動に伴い地面の落葉を回収するようにしていた（例えば、特許文献１参照）。
【０００５】
【特許文献１】特開平９−１５１４３０号公報（第２頁、図１、図２、図８）。
【発明の開示】
【発明が解決しようとする課題】
【０００６】
しかし、これらの装置で回収できるのは台車や自動車が移動できる道路、地面上の落葉のみであり、落葉樹の付近の落葉や他の樹木上に落ちた落葉を回収することはできなかった。
【０００７】
そこで、清掃者によって落葉を集めて回収することになるので、著しく手数がかかると共に、回収作業を落葉の期間中頻繁に行なうため大幅な出費になる。
【０００８】
特に、風によって広範囲に落葉が飛散するので、住人からの苦情の発生原因になる。
【０００９】
そこで、この発明は、落葉の飛散を防止して、落葉樹の根元側で回収することにある。
【課題を解決するための手段】
【００１０】
上記の課題を解決するために、この発明は、落葉樹の上方から落葉が通過しない網目の上端閉鎖の筒状ネットを被せると共に、このネットの開放下縁部を寄せ集めて上記落葉樹の根元側に縛る落葉の回収装置を採用する。
【００１１】
また、落葉樹の上方から落葉が通過しない網目の上端閉鎖の筒状ネットを被せると共に、このネットの開放下縁側を地面に適宜の支持手段により支持した落葉の回収装置を採用することもある。
【００１２】
さらに、落葉が通過しない網目の帯状で二つ折りにしたネットを、前記二つ折りの屈曲部分が頂部に位置するよう落葉樹に被せると共に、このネットの隣接両側縁同志を適宜の閉鎖手段により閉じ、上記ネットの開放端縁側を寄せ集めて上記落葉樹の根元側に縛る落葉の回収装置を採用する。
【００１３】
また、落葉が通過しない網目の帯状で二つ折りにしたネットを、前記二つ折りの屈曲部分が頂部に位置するよう落葉樹に被せると共に、このネットの隣接両側縁同志を適宜の閉鎖手段により閉じ、上記ネットの開放端縁側を地面に適宜の支持手段により支持した落葉の回収装置を採用することもある。
【００１４】
さらに、落葉樹の上方から落葉が通過しない網目の裁頭円錐状の筒状ネットを被せると共に、このネットの開放下縁部を寄せ集めて上記落葉樹の根元側に縛る方式や、落葉樹の上方から落葉が通過しない網目の裁頭円錐状の筒状ネットを被せると共に、このネットの開放下縁側を地面に適宜の支持手段により支持した方式の落葉の回収装置を採用する。
【００１５】
また、落葉樹の上端から下方所定の範囲に落葉が通過しない網目の横長な帯ネットを巻き付けると共にこの巻き付けた帯ネットのオーバーラップの部分を止め手段により止め、上記巻き付けた帯ネットの開放下縁部を寄せ集めて上記落葉樹の根元側に縛る方式や落葉樹の上端から地上側の範囲に落葉が通過しない網目の横長な帯ネットを巻き付けると共にこの巻き付けた帯ネットのオーバーラップの部分を止め手段により止め、上記巻き付けた帯ネット開放下縁側を地面に適宜の支持手段により支持した方式の落葉の回収装置を採用する。
【００１６】
さらに、落葉が通過しない網目の複数枚のネットと、このネットを円錐状に配置して、配置ネットのそれぞれの隣接縁の網目に挿通した連結紐とで円錐状の被いネットを形成し、この被いネットを落葉樹の上端から被せると共に、この被いネットの開放下縁側を上記落葉樹の根元側に縛った方式や落葉が通過しない網目の複数枚のネットと、このネットを円錐状に配置してそれぞれの隣接縁の網目に挿通した連結紐とで円錐状の被いネットを形成し、この被いネットを落葉樹の上端から被せると共に、この被いネットの開放下縁側を地面に適宜の支持手段により支持した方式の落葉の回収装置を採用する。
【発明の効果】
【００１７】
以上のように、この発明の落葉回収装置によれば、落葉樹に被せたネットや被いネットに落葉を溜て回収するので、極めて簡単に落葉を回収することができると共に、手間のかかる清掃が不要になると共に、広範囲に落葉が飛散して見苦しくなる不都合もない。
【００１８】
また、一枚のネットを二つ折りにしたり、或いは横長なシートを巻き付けたり、複数枚のシートの隣接縁を連結紐で連結した被いネットを落葉樹に被せるので、袋状のネットの被せ作業よりも被せ作業が極めて容易になり、特に架線が存在してクレーン車や高所作業車を使用することができない落葉樹に対するネットの被せ作業が容易になる。
【００１９】
さらに、落葉が通過しない網目のネットを使用するので、ネット内の落葉の外部通過がない。
【発明を実施するための最良の形態】
【００２０】
この発明の実施の形態を添付図面に基づいて説明する。
【００２１】
この発明の第１の実施形態では、図１及び図２に示すように、まず落葉樹Ａの上方から落葉が通過しない網目の上端が閉鎖してある筒状のネット１を被せる。
【００２２】
上記ネット１の上端閉鎖は、編成の際に閉じる以外に、長尺な編成ネットを被う落葉樹の丈に見合うよう寸断して、寸断一端を寄せ集めて紐や針金、バンドなどを用いて縛る。
【００２３】
上記のネット１は、取り扱いやすいように軽量なものが、例えば合成繊維製が望ましい。
【００２４】
次に、ネット１の開放下縁を寄せ集めながら、落葉樹Ａの根元に紐２など（針金やバンド、テープなども可）で縛る（絞り込む）。
【００２５】
すると、落葉樹Ａの落葉は、ネット１内を落下して縛った紐２の上側に溜る。
【００２６】
溜った落葉は、紐２を解き、運び込んである袋や籠などにネット１の下縁開口から落し込んで回収する。
【００２７】
この発明の第２の実施形態では、図３及び図４に示すように、まず落葉樹Ａの上方から落葉が通過しない網目の上端閉鎖の筒状のネット１を被せる。
【００２８】
上記のネット１は、第１の実施形態と同様につき説明を省略する。
【００２９】
次に、ネット１の開放下面を地面３に適宜の手段により支持させる。
【００３０】
上記の支持手段としては、移動を止めると共に、風によって浮き上がらない、すなわち、ネット１内の地上に落下した落葉がネット１外に脱出しないように、図示の場合ネット１から地中にアンカーピン４を打ち込んだが、重錘などで地面に押え込むようにしてもよい。
【００３１】
すると、落葉樹Ａの落葉は、ネット１内から地面３に落下して、地面３上に溜った落葉は、ネット３の下縁を持ち上げて集めながら袋や籠などに回収する。
【００３２】
なお、第１、第２の実施形態のネット１の丈が落葉樹Ａの高さより大きい場合は、ネット１の上部を紐などで絞り込んで丈を調整する。
【００３３】
この発明の第３の実施形態では、図５に示すように、落葉が通過しない網目の帯状のネット１１を二つ折りにする。
【００３４】
次いで、図６、図７に示すように二つ折りのネット１１の二つ折り屈曲部分が頂部になるようにして、落葉樹Ａにネット１１を被せる。
【００３５】
その後に、被せたネット１１の隣接両側縁同志を閉鎖手段１２によって閉じる。
【００３６】
上記の閉鎖手段１２は、図示の場合ネット１１の隣接両側縁部の網目に紐を通しながら閉じたが、ネット１１の側縁所定間隔に一端を止めたベルト（図示省略）同志を結んで閉じもよい。
【００３７】
しかして、ネット１１の開放端側を第１の実施形態と同様に紐２を介し落葉樹Ａの根元側に縛る（絞り込む）。
【００３８】
ネット１１内の落葉の回収方法は、第１の実施形態と同様につき説明を省略する。
【００３９】
この発明の第４の実施形態では、図８、９に示すように落葉樹Ａに第３の実施形態と同様にネット１１を被せると共に、ネット１１の側縁を同様に閉鎖手段１２によって閉じる。
【００４０】
その後に、ネット１１の開放端縁側を第２の実施形態同様に支持手段としてのアンカーピン４を打ち込むか、重鍾などで地面に押え込む。
【００４１】
ネット１１内の落葉の回収方法は、第２の実施形態と同様につき説明を省略する。
【００４２】
上記閉鎖手段１２の作業は、高所作業車や、梯子、脚立などを使用する。
【００４３】
上記に使用するネット１１は、図５に示すようにネット１１の二つ折りの部分から両自由端縁に向う程対向両側縁間の間隔を大きくしておくと、落葉樹に被せたとき落葉樹の外径に沿う形状になって体裁がよい。
【００４４】
上記の網目は、落葉にも各種寸法があるので、寸法別に用意すればよい。
【００４５】
この発明の第５の実施形態では、図１０及び図１１に示すように、まず落葉樹Ａの上方から落葉が通過しない網目の裁頭円錐状の筒状ネット１５を被せる。
【００４６】
上記の裁頭円錐状の筒状ネット１５は、編成によって製造する以外に、一枚の、或いは複数のシート状のネットを裁頭円錐状にして、ネットの隣接縁を例えば縫製や網目に順次挿通する紐によって閉じても（接続しても）よい。そして、ネット１５は、取り扱いやすいように軽量なものが、例えば合成繊維製が望ましい。
【００４７】
勿論ネット１５の裁頭円錐状の上端開口は、被せた際の落葉樹Ａの頂部が通過しない或いは一部を追加する程度にしておく。
【００４８】
次にネット１５の下縁部を寄せ集めながら第１の実施形態と同様に紐２を介し落葉樹Ａの根元側に縛る（絞り込む）。
【００４９】
ネット１５内に溜った落葉の回収方法は、第１の実施形態と同様につき説明を省略する。
【００５０】
勿論、ネット１５は取り扱いやすいように軽量なものが、例えば合成繊維製が望ましい。
【００５１】
この発明の第６の実施形態では、図１２及び第１３に示すように、落葉樹Ａに第５の実施形態と同様の裁頭円錐状のネット１５を被せる。
【００５２】
次にネット１５の開放下縁部を第２の実施形態と同様に支持手段としてのアンカピン４を打ち込むか、重錘などで地面に押え込む。
【００５３】
ネット１５内の落葉の回収方法は、第２の実施形態と同様につき説明を省略する。
【００５４】
この発明の第７の実施形態では、図１４及び図１５に示すように、落葉樹Ａの上端から下方地上手前の範囲に落葉が通過しない網目の横長な帯ネット１６を巻き付けると共に、この巻き付けた帯ネット１６のオーバーラップの部を止め手段１７により止めて帯ネット１６の巻き状態の維持をはかる。
【００５５】
上記の止め手段１７としては、図示の場合、オーバーラップの上縁側網目に紐（針金なども可）を通して結ぶようにしたが、その他の止め手段で巻き付け状態の維持をはかる。
【００５６】
次に帯ネット１６の下縁部を寄せ集めて第１の実施形態と同様に紐２を介し落葉樹Ａの根元側に縛る（絞り込む）。
【００５７】
帯ネット１６内に溜った落葉の回収方法は、第１の実施形態と同様につき説明を省略する。
【００５８】
勿論、帯ネット１６は、取り扱いやすいように軽量なものが、例えば合成繊維製が望ましい。
【００５９】
この発明の第８の実施形態では、図１６及び図１７に示すように、落葉樹Ａの上端から地上側に第７の実施形態と同様の帯ネット１６を巻き付けると共に、帯ネット１６のオーバーラップの上縁側を第７の実施形態と同様の方法の止め手段１７によって止める。
【００６０】
次に帯ネット１６の開放下縁部を第２の実施形態と同様に支持手段としてのアンカピン４を打ち込むか、重錘などで地面に押え込む。
【００６１】
帯ネット１６内の落葉の回収方法は、第２の実施形態と同様につき説明を省略する。
【００６２】
この発明の第９の実施形態では、図１８及び図１９に示すように、落葉が通過しない網目の複数（２枚或いは２枚以上）のネット１８と、この複数のネット１８を円錐状に配置して、配置ネット１８のそれぞれの隣接縁の網目に挿通した連結紐１９とで円錐状の被いネット２０を形成する。
【００６３】
上記の複数枚のネット１８は、図示の場合２枚１組としたが、枚数は限定されない。そしてネット１８を、両側縁の対向幅を上方に向う程小さくすることによって被いネット２０が円錐状になり、また連結紐１９は、靴の挿通紐のように、二本ジグザグ状に挿通してある。
【００６４】
勿論、被いネット２０は、取り扱いやすいように軽量なものが、例えば合成繊維製が望ましい。
【００６５】
まず、落葉樹Ａに上方から被いネット２０を被せたのち、被いネット２０開放下縁部を寄せ集めながら、第１の実施形態と同様に紐２を介し落葉樹Ａの根元側に縛る（絞り込む）。
【００６６】
被いネット２０内に溜った落葉の回収方法は、第１の実施形態と同様につき説明を省略する。
【００６７】
この発明の第１０の実施形態では、図２０及び第２１に示すように、第９の実施形態の被いネット２０を落葉樹Ａに被せる。
【００６８】
次に被いネット２０の開放下縁部を第２の実施形態と同様に支持手段としてのアンカピン４を打ち込むか、重錘などで地面に押え込む。
【００６９】
被いネット２０内の落葉の回収方法は、第２の実施形態と同様につき説明を省略する。
【００７０】
なお、第９及び第１０の実施形態において、図１８及び図２０に示すように電線Ｂなどが存在する場合、落葉樹Ａにネット１８を被せて、被せたネット１８の隣接縁の網目に順次連結紐１９を通しながら被いネット２０で落葉樹Ａを被う。
【００７１】
すると、落葉樹Ａの頂部に電線Ｂが存在していても何ら支障がない。
【００７２】
また、ネット１、１１、１５、１６及び被いネット２０を被せる方法としては、クレーン車や高所作業車及び梯子を使用する以外に、伸縮ポールの上端にネット１の上端を止め、ポールの上端側にネット１の下端から上部迄をたぐり上げて仮止めし、落葉樹Ａにポールを保持させたのち、ロープなどを引っ張って仮止めを解除しながら垂れ下がるネット１を落葉樹に被せるようにする。
【００７３】
なお、ネット１、１１、１５、１６及び被いネット２０は、落葉期前（充分緑や花を楽しんだ後）や、シーズン終り（夏仕舞い）、剪定後に被せ（掛ける）、落葉の期間が終了すると、クレーン車や高所作業車及び梯子などでネットを回収する。
【００７４】
また、上記のネット１、１１、１５、１６及び被いネット２０は周囲の環境を損うことがないよう適宜着色したものを用いる。
【図面の簡単な説明】
【００７５】
【図１】この発明の第１の実施形態を示す正面図
【図２】同上の使用状態を示す正面図
【図３】第２の実施形態を示す正面図
【図４】同上の使用状態を示す正面図
【図５】第３の実施形態に使用するネットの平面図
【図６】第３の実施形態を示す正面図
【図７】同上の使用状態を示す正面図
【図８】第４の実施形態を示す正面図
【図９】同上の使用状態を示す正面図
【図１０】第５の実施形態を示す斜視図
【図１１】同上の使用状態を示す正面図
【図１２】第６の実施形態を示す斜視図
【図１３】同上の使用状態を示す正面図
【図１４】第７の実施形態を示す斜視図
【図１５】同上の使用状態を示す正面図
【図１６】第８の実施形態を示す斜視図
【図１７】同上の使用状態を示す斜視図
【図１８】第９の実施形態を示す斜視図
【図１９】同上の使用状態を示す正面図
【図２０】第１０の実施形態を示す斜視図
【図２１】同上の使用状態を示す正面図
【符号の説明】
【００７６】
Ａ        落葉樹
１        ネット
２        紐
３        地面
４        ピン
１１      ネット
１２      閉鎖手段
１５      ネット
１６      帯ネット
１７      止め手段
１８      ネット
１９      連結紐
２０      被いネット
【図１】
2005029385.tif 000003
【図２】
2005029385.tif 000004
【図３】
2005029385.tif 000005
【図４】
2005029385.tif 000006
【図５】
2005029385.tif 000007
【図６】
2005029385.tif 000008
【図７】
2005029385.tif 000009
【図８】
2005029385.tif 000010
【図９】
2005029385.tif 000011
【図１０】
2005029385.tif 000012
【図１１】
2005029385.tif 000013
【図１２】
2005029385.tif 000014
【図１３】
2005029385.tif 000015
【図１４】
2005029385.tif 000016
【図１５】
2005029385.tif 000017
【図１６】
2005029385.tif 000018
【図１７】
2005029385.tif 000019
【図１８】
2005029385.tif 000020
【図１９】
2005029385.tif 000021
【図２０】
2005029385.tif 000022
【図２１】
2005029385.tif 000023